(57)【特許請求の範囲】
【請求項１】
折り重ねた状態または開いた状態をとるように回転可能に連結された３枚以上のパネルと、
少なくとも１つの前記パネルに設けられる把手部と、
複数の前記パネルを回転可能に連結する複数のヒンジ部と、
複数の前記パネルが開いた状態で隣り合う前記パネルの回転を規制するロック機構と、を備え、
複数の前記パネルが、最下部に位置する前記パネルから内側に巻き込むように折り重ねられ、
最上部に位置する前記パネルと最上部の前記パネルの隣に位置する前記パネルとを連結する前記ヒンジ部は、スペーサを介して前記パネルに固定され、
前記把手部は、複数の前記パネルを折り重ねた状態で前記パネルの外面に位置することを特徴とする防護盾。
【請求項２】
折り重ねた状態または開いた状態をとるように回転可能に連結された複数のパネルと、
最上部に位置する前記パネルに設けられる把手部と、
複数の前記パネルが開いた状態で隣り合う前記パネルの回転を規制するロック機構と、
複数の前記パネルが折り重なった状態で前記パネル同士を係止する係止機構と、
最上部に位置する前記パネルに設けられて前記係止機構の係止を解除する解除操作部と、を備え、
前記把手部は、複数の前記パネルを折り重ねた状態で前記パネルの外面に位置し、複数の前記パネルが開いた状態で前記パネルの裏面に位置し、
複数の前記パネルが、最下部に位置する前記パネルから内側に巻き込むように折り重ねられ、
使用者が前記把手部を把持しつつ前記解除操作部を押すことで、前記係止機構の係止が解除されて複数の前記パネルが自重で回転して開いた状態になることを特徴とする防護盾。
【請求項３】
複数の前記パネルは、開いた状態で上下方向に連結され、
前記把手部は、複数の前記パネルのうち、開いた状態で最上部に位置する前記パネルに少なくとも設けられ、
折り重ねた状態において最上部に位置する前記パネルを立てて前記把手部を把持した状態から、最上部の前記パネルより下側に位置する前記パネルが自重で回転し、開いた状態になることを特徴とする請求項１または２に記載の防護盾。
【請求項４】
折り重ねた状態で前記パネル同士を係止する係止機構を有し、
折り重ねた状態において最上部に位置する前記パネルを立てて保持して前記係止機構の係止を解除すると、最上部の前記パネルより下側に位置する前記パネルが自重で回転して開いた状態となることを特徴とする請求項３に記載の防護盾。
【請求項５】
一方の前記パネルに固定され、開いた状態で隣り合う他方の前記パネルに向かって張り出して他方の前記パネルを覆うガード部をさらに備えることを特徴とする請求項１から４のいずれかに記載の防護盾。
【請求項６】
複数の前記パネルを回転可能に連結する複数のヒンジ部をさらに備え、
前記ロック機構は、スライドピンを有しており、スライドピンのスライド動作によって前記パネルの回転を規制したロック状態と回転規制を解除したロック解除状態をとることを特徴とする請求項２に記載の防護盾。
【発明の詳細な説明】
【技術分野】
【０００１】
本発明は、複数のパネルを折り重ねることが可能な防護盾に関する。
【背景技術】
【０００２】
人の身体を防護するための防護盾は、身体に合わせた大きさ、例えば縦幅１メートル程度に設定されるため、搬送や収納時に場所を取り容易でない。特許文献１には、２枚の盾板と、２枚の盾板を左右に回転可能に連結する支持アームおよび回転シャフトとを有する折りたたみ式防護盾が開示される。この折りたたみ式防護盾は、回転シャフトおよび支持アームを挟むように２枚の盾板を折りたたむことができる。
【先行技術文献】
【特許文献】
【０００３】
【特許文献１】特開２００５−２５７１５０号公報
【発明の概要】
【発明が解決しようとする課題】
【０００４】
特許文献１に開示される折りたたみ式防護盾は、折りたたむことで左右幅を短くできるものの、折りたたみ状態で把手にも用いられる回転シャフトが内側に配置されており、使用者が持ち運ぶことが容易でない。【０００５】
本発明はこのような課題に鑑みてなされたものであり、その目的は、複数のパネルを折り重ねて小型にして搬送および収納を容易にした防護盾を提供することにある。
【課題を解決するための手段】
【０００６】
上記課題を解決するために、本発明のある態様の防護盾は、折り重ねた状態または開いた状態をとるように回転可能に連結された複数のパネルと、少なくとも１つのパネルに設けられる把手部と、複数のパネルが開いた状態で隣り合うパネルの回転を規制するロック機構と、を備える。把手部は、複数のパネルを折り重ねた状態でパネルの外面に位置する。
【発明の効果】
【０００７】
本発明によれば、複数のパネルを折り重ねて小型にして搬送および収納を容易にした防護盾を提供できる。
【図面の簡単な説明】
【０００８】
【図１】第１実施例の防護盾について説明するための図である。
【図２】複数のパネルを折り重ねた状態の防護盾について説明するための図である。
【図３】防護盾の開き動作について説明するための図である。
【図４】変形例の防護盾を説明するための図である。
【図５】第２実施例の防護盾について説明するための図である。
【図６】防護盾の開き動作を説明するための図である。
【図７】第３実施例の防護盾について説明するための図である。
【発明を実施するための形態】
【０００９】
図１は、第１実施例の防護盾１０について説明するための図である。図１（ａ）は防護盾１０の表面図であり、図１（ｂ）は防護盾１０の側面図であり、図１（ｃ）は防護盾１０の裏面図である。防護盾１０の表面は、攻撃を受ける面であり、裏面は使用者が把持する側の面である。
【００１０】
防護盾１０は、警備員や警察官等の人員により把持されて、デモなどの鎮圧や要人の警護等に用いられ、攻撃から身体を防護する。図１に示す防護盾１０は、複数のパネルを面一に延在するように開いた使用状態を示しており、使用しない場合には折り重ねて小型にできる。
【００１１】
防護盾１０は、第１パネル１２、第２パネル１４、第３パネル１６、第１ヒンジ部１８、第２ヒンジ部２０、第１把手部２２、第２把手部２４、第１ロック機構２６、第２ロック機構２８、第１ガード部３０、第２ガード部３２、係止機構３４、解除操作部３６およびスペーサ３８を備える。
【００１２】
複数のパネル１２，１４，１６は、ヒンジ部１８，２０により回転可能に連結しており、折り重ねた状態と開いた状態をとる。開いた状態において第１パネル１２は最上部に位置し、第２パネル１４は中央に位置し、第３パネル１６は最下部に位置し、パネル１２，１４，１６は上下方向に並んで配置される。図１（ｂ）では防護盾１０が開いた状態では、複数のパネル１２，１４，１６が同一平面上に並んだ状態を示すが、第１パネル１２および第２パネル１４や第２パネル１４および第３パネル１６が少し屈曲した状態であってもよい。すなわち、第２パネル１４が第１パネル１２に対して傾斜し、および／または第３パネル１６が第２パネル１４に対して傾斜して防護盾１０の使用状態を構成してよい。
【００１３】
第１パネル１２および第２パネル１４は、第１ヒンジ部１８に連結され、第２パネル１４および第３パネル１６は、第２ヒンジ部２０に連結される。パネル１２，１４，１６は、平板状や湾曲形状に形成されてよく、ステンレス、チタン、ジュラルミン、セラミック、繊維製防弾板、プラスチックなどの材料により形成されてよい。
【００１４】
第１ヒンジ部１８および第２ヒンジ部２０は、図１（ａ）に示すように、それぞれ一対設けられ、複数のパネル１２，１４，１６が開いた状態でパネル１２，１４，１６の表面に取り付けられる。
【００１５】
第１把手部２２は、第１パネル１２の裏面に一対設けられ、第２把手部２４は、第２パネル１４の裏面に設けられる。把手部２２，２４は、使用者に把持される。第１把手部２２を左右に並べて一対設けることで、使用者が両手で把持することが可能である。
【００１６】
なお、把手部２２，２４は、根元部分に回転可能な軸構造を有し、不使用時に回転させてパネルに沿わせて、把手部２２，２４のパネル面直方向の高さを変えられるように構成してよい。把手部２２，２４は、半割体を合わせて構成され、軸構造の回転により両方の半割体を拡開してパネル面直方向の高さを低くしてもよい。これにより、複数のパネル１２，１４，１６を折り重ねた状態で防護盾１０を薄くできる。
【００１７】
第１ロック機構２６は、図１（ｃ）に示すように、第１パネル１２および第２パネル１４の裏面に設けられ、第２ロック機構２８は、第２パネル１４および第３パネル１６の裏面に設けられる。第１ロック機構２６は、開いた状態の第１パネル１２および第２パネル１４の回転を規制し、第２ロック機構２８は、開いた状態の第２パネル１４および第３パネル１６の回転を規制する。
【００１８】
ロック機構２６，２８は、例えばラッチ錠であり、いずれも同じ形状である。第１ロック機構２６は、スライドピン２６ａ、ケース２６ｂおよび筒部２６ｃを有し、第２ロック機構２８は、スライドピン２８ａ、ケース２８ｂおよび筒部２８ｃを有する。
【００１９】
スライドピン２６ａは、ケース２６ｂにスライド可能に設けられ、外周面に突起状の操作片を有する。使用者は、スライドピン２６ａの操作片を摘んでスライドピン２６ａをスライドさせる。ケース２６ｂは、第２パネル１４の裏面に固定され、スライドピン２６ａを収容して、スライドピン２６ａの操作片を露出させるスリットを有する。筒部２６ｃは、第１パネル１２の裏面に固定され、スライドピン２６ａを挿入可能である。
【００２０】
第１ロック機構２６は、スライドピン２６ａが筒部２６ｃに挿入された状態で隣り合う第１パネル１２および第２パネル１４の回転を規制したロック状態をとり、スライドピン２６ａが筒部２６ｃから抜け出た状態でロック解除状態をとる。
【００２１】
第１ロック機構２６は、ロック位置およびロック解除位置において、スライドピン２６ａのスライドを制限することが可能である。ケース２６ｂのスリットに形成された２つの横孔が形成され、スライドピン２６ａの操作片をロック位置またはロック解除位置にてケース２６ｂの横孔に入り込ませることで、スライドピン２６ａのスライドが制限される。
【００２２】
第１ロック機構２６のケース２６ｂは、第１パネル１２および第２パネル１４の境界を越えて第２パネル１４から第１パネル１２を覆うように張り出している。これにより、開いた状態での第１パネル１２および第２パネル１４の折れ曲がりを抑えることができる。また、第２ロック機構２８のケース２８ｂも同様に第２パネル１４および第３パネル１６の境界を越えて張り出している。
【００２３】
第１ロック機構２６は、ケース２６ｂ内にスライドピン２６ａをロック状態にする方向に付勢するバネを有してよい。第１ロック機構２６をロック状態にする方向に付勢するバネを設けることで、衝撃等により第１ロック機構２６のロック状態が解除されることを抑えることができる。なお、第２ロック機構２８も第１ロック機構２６と同様の機能を有する。
【００２４】
第１ガード部３０は、第２パネル１４の裏面に固定されて隣り合う第１パネル１２に向かって張り出し、第２ガード部３２は、第３パネル１６の裏面に固定されて隣り合う第２パネル１４に向かって張り出す。ガード部３０，３２は、板状であり、開いた状態で第２パネル１４および第３パネル１６の裏側に位置し、開いた状態で隣り合うパネル１２，１４，１６の境界の一部を覆う。ガード部３０，３２により、パネル１２，１４，１６の境界の折れ曲がり動作に対する強度を高めることができ、パネル１２，１４，１６の境界に衝撃を受けた際の防護性能を十分に確保することができる。
【００２５】
係止機構３４は、図１（ａ）および図１（ｃ）に示すように、第１パネル１２の表面と第３パネル１６の裏面に設けられる雌雄の２部材からなり、凹凸嵌合することで係止状態をとる。係止機構３４は、複数のパネル１２，１４，１６が折り重なった状態で係止し、パネル１２，１４，１６が開くことを抑え、防護盾１０の搬送を容易にする。
【００２６】
解除操作部３６は、第１パネル１２に挿通されて第２パネル１４を開き方向に押すことが可能なピン部材であって、係止機構３４の係止を解除するため、すなわち、パネル１２，１４，１６を開くために用いられる。解除操作部３６には押された後に元の位置に戻るバネが設けられる。
【００２７】
図２は、複数のパネル１２，１４，１６を折り重ねた状態の防護盾１０について説明するための図である。図２（ａ）に示すように防護盾１０は、複数のパネル１２，１４，１６を折り重ねた不使用状態では、上下方向の長さが小さくなっており、保管時のスペース確保が容易であり、バッグに入れて持ち運ぶことも容易である。
【００２８】
図２（ｂ）に示すように、第１把手部２２および第２把手部２４は、複数のパネル１２，１４，１６を折り重ねた状態でパネル１２，１４，１６の外面に位置する。これにより、折り重ねた状態で第１パネル１２および第２パネル１４の間に把手部２２，２４を配置するより、防護盾１０を薄くでき、把手部２２，２４を把持して持ち運ぶことができる。
【００２９】
図２（ｂ）に示すように、係止機構３４は嵌合して係止した状態であり、第１パネル１２および第３パネル１６の離れる動きが制限されている。ここで、使用者が第１把手部２２を把持しつつ、解除操作部３６を押すことで、解除操作部３６が第３パネル１６に当たって、第３パネル１６が第１パネル１２から離れる力を受けて、係止機構３４の係止が解除される。
【００３０】
図２（ｃ）に示すように、第１ヒンジ部１８は、第１パネル１２および第２パネル１４にスペーサ３８を介して固定されている。これにより、第１パネル１２および第２パネル１４の間に第３パネル１６を配置する空間を確保できる。第２ヒンジ部２０の固定には第１ヒンジ部１８のようにスペーサ３８が使用されていない。スペーサ３８により折り重ねた状態のパネル１２，１４，１６の間隔を調整できる。
【００３１】
図２（ｃ）に示すように、第３パネル１６は、折り重ねた状態で第１ヒンジ部１８およびスペーサ３８に干渉しないように、第１パネル１２および第２パネル１４より上下幅（図中の左右幅）が短くなっている。
【００３２】
図３は、防護盾１０の開き動作について説明するための図である。図３（ａ）に示す複数のパネル１２，１４，１６を折り重ねた状態において、使用者は、第１把手部２２を把持して第１パネル１２を立てた状態にして、解除操作部３６を押す。第１パネル１２を立てた状態とは、第１パネル１２の面を鉛直方向に沿うようにした状態をいう。
【００３３】
解除操作部３６は第３パネル１６を第１パネル１２から離れるように押して、係止機構３４の係止が解除され、第２パネル１４および第３パネル１６が自重で回転して開く。これにより、図３（ｂ）に示すように、第１ヒンジ部１８を軸として第２パネル１４および第３パネル１６が一体に自重で回転して第２パネル１４が開き、次に図３（ｃ）に示すように、第２ヒンジ部２０を軸として第３パネル１６が自重で回転して第３パネル１６が開く。このように、使用者は、第１把手部２２を把持して解除操作部３６を押せば複数のパネル１２，１４，１６を折り重ねた状態から容易に開いた状態にすることができる。
【００３４】
使用者は、複数のパネル１２，１４，１６が開いた状態になれば、第１ロック機構２６および第２ロック機構２８をロック状態にして、防護盾１０を使用状態にする。
【００３５】
複数のパネル１２，１４，１６を折り重ねる際は、第１ロック機構２６および第２ロック機構２８のロックを解除して、最下部に位置する第３パネル１６から内側に巻き込むロール巻のように折り重ねる。つまり、第３パネル１６から１つの回転方向に繰り返し巻き込むように回転させて複数のパネル１２，１４，１６を折り重ねた状態にする。これにより、パネル１２，１４，１６が折り重ねた状態から容易に開くようになる。
【００３６】
図４は、変形例の防護盾１００を説明するための図である。変形例の防護盾１００は、図１（ａ）に示す防護盾１０と比べて、第１ガード部３０および第２ガード部３２の代わりに大きな横幅の第１ヒンジ部１１８および第２ヒンジ部１２０を設けた点で異なる。
【００３７】
第１ヒンジ部１１８および第２ヒンジ部１２０は、パネル１２，１４，１６の横幅と略同一の長さを有し、図１（ａ）に示す第１ヒンジ部１８および第２ヒンジ部２０のように２つに分かれていない。これにより、パネル１２，１４，１６の境界に衝撃を受けた際の防護性能を十分に確保でき、パネル１２，１４，１６の境界に刃物等が差し込まれることを防ぐことができる。また、複数のパネル１２，１４，１６を折り重ねた状態で、第１ガード部３０および第２ガード部３２が外に張り出すことを防ぐことができる。
【００３８】
図５は、第２実施例の防護盾２００について説明するための図である。図５（ａ）は防護盾２００の表面図であり、図５（ｂ）は防護盾２００の側面図であり、図５（ｃ）は防護盾２００の裏面図である。第２実施例の防護盾２００は、図１（ａ）に示す防護盾１０と比べて、パネルの枚数が１枚多い。
【００３９】
防護盾２００は、第１パネル１２、第２パネル１４、第３パネル１６および第４パネル１７の４枚で構成されており、第４パネル１７が増えたため、第３パネル１６および第４パネル１７を回転可能に連結する第３ヒンジ２１と、第３パネル１６および第４パネル１７の回転を規制する第３ロック機構２９とをさらに備える。
【００４０】
図６は、防護盾２００の開き動作を説明するための図である。図６（ａ）には複数のパネル１２，１４，１６，１７を折り重ねた状態の防護盾２００を示す。第３パネル１６は、第１ヒンジ部１８に干渉しないように第１パネル１２および第２パネル１４より上下幅が短く、第４パネル１７は、第１ヒンジ部１８および第２ヒンジ部２０に干渉しないように第３パネル１６より上下幅が短い。
【００４１】
係止機構３４により第１パネル１２および第３パネル１６が離れないように係止されている。これにより、複数のパネル１２，１４，１６，１７を折り重ねた状態が維持される。また、係止機構３４を第１パネル１２および第３パネル１６に設けることで、第１パネル１２の面直方向の凹凸嵌合で係止でき、解除操作部３６で押す係止解除が可能となる。第１把手部２２および第２把手部２４は、複数のパネル１２，１４，１６，１７を折り重ねた状態で第１パネル１２および第２パネル１４の外面に位置する。
【００４２】
第１ヒンジ部１８は、第１パネル１２および第２パネル１４に第１のスペーサ３８を介して固定される。これにより、第１パネル１２および第２パネル１４の間に第３パネル１６および第４パネル１７を配置する空間を確保できる。また、第２ヒンジ部２０は、第２のスペーサ３９を介して第２パネル１４および第３パネル１６に固定される。第２のスペーサ３９は、第１のスペーサ３８より薄い。これにより、第２パネル１４および第３パネル１６の間に第４パネル１７を配置する空間を確保できる。
【００４３】
使用者は、第１把手部２２を把持して第１パネル１２を立てた状態にして、解除操作部３６を押し、係止機構３４の係止を解除させる。これにより、図６（ｂ）に示すように、第１ヒンジ部１８を軸として第２パネル１４と第３パネル１６と第４パネル１７とが一体に自重で回転して第２パネル１４が開き、次に図６（ｃ）に示すように、第２ヒンジ部２０を軸として第３パネル１６と第４パネル１７が自重で回転して第３パネル１６が開く。次に、第３ヒンジ２１を軸として第４パネル１７が自重で回転して図５（ｂ）に示す第４パネル１７が開き、複数のパネル１２，１４，１６，１７が開いた状態になる。
【００４４】
使用者は、複数のパネル１２，１４，１６，１７が開いた状態になれば、第１ロック機構２６と第２ロック機構２８と第３ロック機構２９をロック状態にして、防護盾２００を使用状態にする。
【００４５】
複数のパネル１２，１４，１６，１７を折り重ねる際は、第１ロック機構２６と第２ロック機構２８と第３ロック機構２９のロックを解除して、最下部に位置する第４パネル１７から内側に巻き込むロール巻のように折り重ねる。
【００４６】
図７は、第３実施例の防護盾３００について説明するための図である。図７（ａ）は防護盾３００の表面図であり、図７（ｂ）は防護盾３００の側面図であり、図７（ｃ）は防護盾３００の裏面図である。第３実施例の防護盾３００は、図１（ａ）に示す防護盾１０と比べてパネルの数が１枚少ない。
【００４７】
第１パネル１２および第２パネル１４はヒンジ部３１８により回転可能に連結される。ロック機構３２６は、第１パネル１２および第２パネル１４の裏面に設けられ、開いた状態の第１パネル１２および第２パネル１４の回転を規制する。
【００４８】
係止機構３４は、第１パネル１２および第２パネル１４の裏面に形成され、折り重ねた状態の第１パネル１２および第２パネル１４を係止する。使用者は、第１把手部２２を把持して第１パネル１２を立てた状態にして、解除操作部３６を押し、係止機構３４の係止を解除させる。これにより、ヒンジ部３１８を軸として第２パネル１４が自重で回転して第２パネル１４が開いた状態になる。
【００４９】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００５０】
実施例では、パネル１２，１４，１６を上下に連結する態様を示したが、この態様に限られず、左右に連結してもよい。
【符号の説明】
【００５１】
１０  防護盾、  １２  第１パネル、  １４  第２パネル、  １６  第３パネル、  １８  第１ヒンジ部、  ２０  第２ヒンジ部、  ２２  第１把手部、  ２４  第２把手部、  ２６  第１ロック機構、  ２６ａ  スライドピン、  ２６ｂ  ケース、  ２６ｃ  筒部、  ２８  第２ロック機構、  ３０  第１ガード部、  ３２  第２ガード部、  ３４  係止機構、  ３６  解除操作部、  ３８  スペーサ。
【産業上の利用可能性】
【００５２】
本発明は、複数のパネルを折り重ねることが可能な防護盾に関する。
【図１】
0006608551.tif 000002
【図２】
0006608551.tif 000003
【図３】
0006608551.tif 000004
【図４】
0006608551.tif 000005
【図５】
0006608551.tif 000006
【図６】
0006608551.tif 000007
【図７】
0006608551.tif 000008